(57)【特許請求の範囲】
【請求項１】
電気部品を内部に収納する収納枠の一端に可動係止部を設け、該可動係止部の開放端には、前記開放端を前記収納枠の外側に弾性変形可能に略Ｕ字形に折り返して折返部を設けるとともに該折返部の先端近傍の外側に段付きの係止突部を設け、前記電気部品収納枠の他端に前記一端の係止突部を係止する固定係止部を設けた電気部品保持具において、前記固定係止部を少なくとも２つの突条で形成し、該２つの突条のうち外側の突条に内側に前記係止突部が弾性変形して挿入状態で係止される係止片を設け、前記折返部の底部に貫通孔を設け、前記突条のうち内側の突条を前記折返部の貫通孔に嵌入するように形成したことを特徴とする電気部品保持具。
【請求項２】
前記収納枠の外周面に取付パネルの縁部を挟むことができる挟持部を形成し、取り付ける機器の取付パネルの端部にあらかじめ形成する切り欠き穴に対し開口側より嵌め付けて前記挟持部に該切り欠き穴の縁部を受け入れて前記収納枠を止着せしめることを特徴とする請求項１記載の電気部品保持具。
【発明の詳細な説明】
【０００１】
【発明の属する技術分野】
本発明は、各種電子・電気機器において、シャーシやパネル等の被固定部材に、ＬＥＤや配線等の電気部品を固定する電気部品保持具に関するものである。
【０００２】
【従来の技術】
従来、電線をシャージやプリント基板等の被固定部材に固定するためのクランプとして図８に示したようにＣの字形の弾性湾曲体６２の開放端を外側に弾性変形可能に折リ返して折返部６３を設け、前記折返部に段付きの係止突部６４を設け、取り付け基板６１の上部に２つの突状６５，６６を設け、その２つの突状部６５，６６の外側の突状部６６の内面に前記係止突部６４が弾性変形して挿入状態で係止される係止片６７を設けたもの（特開昭６０−８４４８６号）がある。
【０００３】
しかしながら、このクランプは、可動側の係止突部６４が電線の長さ方向にずれて（以下横ずれという）係止片６７とのロック（係合）が外れてしまうことがある。そこで係止突部６４が電線の長さ方向に外れないように特開昭６０−８４４８６号公報に開示されているように横ずれ防止壁６８，６９（特開昭６０−８４４８６号公報の第７図の４５ｕ，４５ｄ）を設けてロック時に折返部６３を覆うようにすると、横ずれ防止壁６８，６９の分だけ電線の長さ方向に大きくなるから、省スペース化を図る必要がある場合に係止突部６４の電線の長さ方向の寸法を十分にとることができず、係止突部６４と係止片６７との係合強度を十分にとることができないという欠点があった。
本発明は、上記のような問題点を解消するためになされたもので、省スペース化を図ることができ、特に電線の長さ方向に取り付けスペースが少ない場合でも、可動側の係止突部が電線の長さ方向にずれて外れることがなくかつ係合部の強度を十分にとることができる電気部品保持具を提供することを目的とする。
【０００４】
【課題を解決するための手段】
本発明は、その目的を達成するため次のような構成を採用している。
つまり、本発明の電気部品保持具は、電気部品を内部に収納する収納枠の一端に可動係止部を設け、該可動係止部の開放端には、前記開放端を前記収納枠の外側に弾性変形可能に略Ｕ字形に折り返して折返部を設けるとともに該折返部の先端近傍の外側に段付きの係止突部を設け、前記電気部品収納枠の他端に前記一端の係止突部を係止する固定係止部を設けた電気部品保持具において、前記固定係止部を少なくとも２つの突条で形成し、該２つの突条のうち外側の突条に内側に前記係止突部が弾性変形して挿入状態で係止される係止片を設け、前記折返部の底部に貫通孔を設け、前記突条のうち内側の突条を前記折返部の貫通孔に嵌入するように形成したことを特徴とするものである。
また、本発明の電気部品保持具は、前記収納枠の外周面に取付パネルの縁部を挟むことができる挟持部を形成し、取り付ける機器の取付パネルの端部にあらかじめ形成する切り欠き穴に対し開口側より嵌め付けて前記挟持部に該切り欠き穴の縁部を受け入れて前記収納枠を止着せしめることを特徴とするものである。
【０００５】
【作    用】
本発明は、上記構成により、固定係止部の内側の突条に可動係止部の折返部の貫通穴を嵌入して位置決め並びに横ずれ防止が図れるから、係止突部は電線の長さ方向に寸法を縮小することがない。
請求項２に係わる発明は、上記構成により、挟持部に取り付けパネルの切り欠き穴の縁部を受け入れて収納枠を切り欠き穴に止着させた後、収納枠に電線を挿入することにより、取付パネルのエッジ部に電線を通す場合に電線が傷つかないように保護する保護具として使用することができる。
【０００６】
【発明の実施の形態】
次に本発明に係わる電気部品保持具の実施の形態（以下、「実施例」という）を添付図面に基づいて説明する。
なお、本実施例においては、電線を保持固定するもののうち特に取り付けパネル（被固定部材）の端部に電線を通す際の保護を目的とした電気部品保持具について説明する。
【０００７】
図１は電気部品保持具を示す斜視図であり、図２は電気部品保持具１の使用状態を示す正面図であり、図３は図２の左側面図であり、図４は図２の閉じた状態を示す一部破断の正面図であり、図５は使用状態の斜視図である。
【０００８】
図示したように、この電気部品保持具は、電線等の電気部品を収納枠１内に保持固定するため、Ｕ字状の電気部品収納枠１の一端にヒンジ３を介して回動する可動係止部２を設け、該可動係止部２の開放端には、前記開放端を前記収納枠１の外側に弾性変形可能に略Ｕ字形に折り返して折返部４を設けるとともに該折返部４の先端近傍の外側に段付きの係止突部５を設け、前記電気部品収納枠１の他端に前記一端の係止突部５を係止する固定係止部６を設けている。この固定係止部６は、少なくとも２つの突条７，８で形成し、該２つの突条７，８のうち外側の突条８に内側に前記係止突部５が弾性変形して挿入状態で係止される係止片９を設けるとともに、前記可動係止部２の折返部４の底部に貫通孔１０を設け、前記突条７，８のうち内側の突条７を前記折返部４の貫通孔１０に嵌入するように形成してなる。
【０００９】
また、可動係止部２の折返部４の先端に前記係止突部５と係止片９との係合を解除するためのロック解除レバー１７が設けられている。
【００１０】
また、この電気物品保持具を取り付けパネル１１の端部に取り付けるため、取り付ける機器のパネル１１の端部に予め切り欠き穴１２を形成するとともに、前記Ｕ字状の収納枠１の外周面に取り付けパネル１１の縁部１３を挟むことができる挟持部１４，１５，１６を形成し、前記取り付けパネル１１の切り欠き穴１２に対し開口側より嵌め付けて上記挟持部１４，１５，１６に該切り欠き穴１２の縁部１３を受け入れて上記収納枠１をパネル１１の端部に取り付けるようにしている。
【００１１】
さらに、収納枠１の左右の両外側面の底には、パネル１１の切り欠き穴１２に形成する一対の切り欠き段部１８に嵌まり込む鉤形の一対の突起１９を設けている。
【００１２】
また、収納枠１の底部２０に形成した挟持部１６は、Ｕ字形の左右の柱２１，２２より前後方向に厚肉に形成して摘み部２３を構成し、収納枠１２を指で摘んでパネル１１の切り欠き穴１２に嵌め付けるときに弾性変形する左右の柱２１，２２に指がかからないようにして取り付け作業を容易にしている。
【００１３】
さらに、収納枠１の底部の両側にはヒンジ部２４，２５を設けてＵ字形の左右の柱２１，２２が弾性変形しやすくしている。なお、前記挟持部１４，１５，１６は金型作成上収納枠１の外周面の前後両側縁に前後で位置をずらして形成することが望ましい。
【００１４】
上記本発明の電気部品保持具は、適度の弾性と硬性を有するプラスチック（例えばポリアミド）で成形される。
【００１５】
次に、本実施例に示す電気部品保持具の使い方について図１、図５に示す斜視図を参照して説明する。
まず、電気部品保持具を被固定部材である取り付けパネル１１の切り欠き穴１２に取り付ける場合について説明する。
図１に示したように、収納枠１の底部２０の外周面側を切り欠き穴１２の開口部に臨ませて、取り付けパネル１１の面に揃えるようにして差し込み、上記外周面に形成した挟持部１４，１５に切り欠き穴１２の縁部１３を受け入れてそのままこれをガイドにしながら嵌め込まれる。そして、上記突起１９を設けた部分が切り欠き穴１２の開口に達したところで、収納枠１のＵ字形の左右の柱２１，２２を素材の弾性を利用して内側にたわませて、これを通過させたのち素材の復元力でこの突起１９を切り欠き段部１８に係止させて、図５に示したように取り付けパネル１１への取り付け作業が完了する。
【００１６】
次に電線２６を固定する場合、まず収納枠１内に電線２６を収納した後、可動係止部２を内側に倒し、可動係止部２の貫通孔１０を固定係止部６の内側の突状７に差し込む。この時係合突部５は素材の弾性により折返部４の底部を支点として内側に倒れて、やがて係止片９を越えると弾性復元して係止片９と係合する。このようにして可動係止部２が固定係止部６にロックされ、収納枠１は閉じられ、図５に示したように電線２６は収納枠１内に固定される。
【００１７】
このロック状態で、可動係止部２に電線２６の長さ方向に外れる方向に力がかかっても折返部４の貫通孔１０に固定係止部６の突状７が差し込まれているので横ずれが防止され係止突部５と係止片９との係合が外れる心配がない。また、電線の長さ方向に取り付けスペースが少ない場合でも電線の長さ方向に係止突部５の寸法を縮めることなく横ずれ防止を図ることができるから、係止突部と係止片との係合強度を十分にとることができ、省スペース化を図ることができる。
【００１８】
なお、ロックを解除する場合には、ロック解除レバー１７を引き起こす。この時係合突部５と係止片９との係合が解除され可動係止部２が外側に開く。
【００１９】
図６、図７に示す電気部品保持具は電線をシャーシやパネル等の被固定部材に被固定部材の表面に沿って固定するため使用されるものであって、図６はその正面図、図７はその使用状態の正面図である。
【００２０】
図示したように配線等の電気部品を収納枠１内に保持固定するため、Ｕ字状の電気部品収納枠１の一端にヒンジ３を介して回動する可動係止部２を設け、該可動係止部２の開放端には、前記開放端を前記収納枠１の外側に弾性変形可能に略Ｕ字形に折り返して折返部４を設けるとともに該折返部４の先端近傍の外側に段付きの係止突部５を設け、前記電気部品収納枠１の他端に前記一端の係止突部５を係止する固定係止部６を設けている。この固定係止部６は、少なくとも２つの突条７，８で形成し、該２つの突条７，８のうち外側の突条７に内側に前記係止突部５が弾性変形して挿入状態で係止される係止片９を設けるとともに、前記可動係止部２の折返部４の底部に貫通孔１０を設け、前記突条７，８のうち内側の突条７を前記折返部４の貫通孔１０に嵌入するように形成してなる構成と、可動係止部２の折返部４の先端にロック解除レバー１７が設けられている構成は第１実施例と同じである。
【００２１】
第１実施例の挟持部に代えて、収納枠１の底部（下部）には、公知のスナップ機構を利用した矢じり係止片３０と該矢じり係止片３０に対向させて設けた弾性翼片３１とからなるシャーシ等の板材３２への取り付け手段を設けている。
【００２２】
第２実施例は以上のような構造であり、次にその使用方法を説明する。
シャーシ等の板材３２に予め穿設された取付孔３３に本発明の保持具の収納枠の下部の矢じり係止片３０を押し込み、弾性翼片３１で板材３２の保持具側を押圧した状態で板材３２に収納枠１を固定する。次いで、配線される電線群２６を次々に収納枠１の上部開口部から差し込んでから、第１実施例と同様に可動係止部２を固定係止部６に向けて内側に倒して可動係止部２の折返部４の貫通孔１０を固定係止部６の内側の突状７に差し込んで、折返部４の係止突部５と固定係止部６の係止片９を係合させれば、電線群２６を収納枠１内に閉じ込めることができる。
なお、図７に示したように前記板材３２は凹んだ限られた空間であっても折返部４の弾性により前述のように可動係止部２と固定係止部６をロックさせて電線を閉じ込めることができるし、ロック解除レバー１７を内側に倒すことにより容易にロック解除を行うことができ、省スペース化を図ることができる。
【００２３】
本発明は上記実施例に限定されるわけではなく、例えば上記実施例においては可動係止部２に折返部４と貫通孔１０と係止突部５を設け、固定係止部６に２本の突状７，８を設けたが、逆に可動係止部２に２本の突状７，８を設け、固定係止部６に折返部４と貫通孔１０と係止突部５を設けても良い。
また、上記実施例において収納枠１はＵ字状のものを示すとともに、可動係止部２はヒンジを介して回動するものを示したが、従来例に示したように収納枠をＣの字状の弾性湾曲体として、弾性湾曲体の先端に可動係止部を設けても良い。
【００２４】
【発明の効果】
本発明は、上記のとおり構成されているので、次に記載する効果を奏する。
請求項１の発明によれば、電線の長さ方向に取り付けスペースが少ない場合でも、係止部が電線の長さ方向にずれて外れることがなくかつ係止部の強度を十分にとることができ、省スペース化を図ることができる電気部品保持具を提供することができる。
請求項２の発明によれば、取り付けパネルのエッジで電線が傷つくことを防止できるから、取付パネルのエッジ部に電線を通す場合の保護具として使用することができる電気部品保持具を提供することができる。
【図面の簡単な説明】
【図１】本発明の一実施例を示す斜視図である。
【図２】本発明の一実施例を示す正面図である。
【図３】図２の左側面図である。
【図４】図２の閉じた状態を示す正面図である。
【図５】本発明の使用状態を示す斜視図である。
【図６】本発明の別の実施例を示す正面図である。
【図７】本発明の別の実施例の使用状態を示す正面図である。
【図８】従来の一実施例を示す正面図である。
【符号の説明】
１  収納枠
２  可動係止部
４  折返部
５  係止突部
６  固定係止部
７  突状
８  突状
９  係止片
１０  貫通孔
１１  パネル
１２  切り欠き口
１４  挟持部
１５  挟持部
１６  挟持部
【図１】
0003950917.tif 000002
【図２】
0003950917.tif 000003
【図３】
0003950917.tif 000004
【図４】
0003950917.tif 000005
【図５】
0003950917.tif 000006
【図６】
0003950917.tif 000007
【図７】
0003950917.tif 000008
【図８】
0003950917.tif 000009